【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
視覚的態様により遊技状態を認識させるための表示手段と、
聴覚的態様を導出する音声発生手段と
を備え、前記表示手段では、遊技中の所定期間において複数の演出表示体系の中から決定された１の演出表示体系に基づく視覚的態様を導出可能に構成された遊技機であって、
前記演出表示体系には、所定演出表示態様及びそれに引き続く特殊演出表示態様の組合せからなるものが含まれ、
前記音声発生手段は、前記所定演出態様が導出されている間に、順次複数の音声パターンに基づく聴覚的態様を導出可能となっていることを特徴とする遊技機。
【請求項２】
視覚的態様により遊技状態を認識させるための表示手段と、
聴覚的態様を導出する音声発生手段と
を備え、前記表示手段では、遊技中の所定期間において複数の演出表示体系の中から決定された１の演出表示体系に基づく視覚的態様を導出可能に構成された遊技機であって、
前記演出表示体系には、所定演出表示態様及びそれに引き続く特殊演出表示態様の組合せからなるものが含まれ、かつ、前記特殊演出表示態様は複数種類用意され、
前記音声発生手段は、前記特殊演出表示態様が導出されているときには、当該特殊演出表示態様に対応する特有の特殊音声パターンを導出するとともに、前記所定演出態様が導出されている間に、前記特殊音声パターンに関連する所定音声パターンを含む複数の所定音声パターンに基づく聴覚的態様を順次導出可能となっていることを特徴とする遊技機。
【請求項３】
視覚的態様により遊技状態を認識させるための表示手段と、
聴覚的態様を導出する音声発生手段と
を備え、前記表示手段では、遊技中の所定期間において複数の演出表示体系の中から決定された１の演出表示体系に基づく視覚的態様を導出可能に構成された遊技機であって、
前記演出表示体系には、所定演出表示態様及びそれに引き続く特殊演出表示態様の組合せからなるものが含まれ、かつ、前記特殊演出表示態様は複数種類用意され、
前記音声発生手段は、前記特殊演出表示態様が導出されているときには、当該特殊演出表示態様に対応する特有の特殊音声パターンを導出するとともに、前記所定演出態様が導出されている間に、複数の所定音声パターンに基づく聴覚的態様を順次導出可能となっており、当該所定演出態様が導出されている最後の区間の所定音声パターンは、前記特殊音声パターンに関連する所定音声パターンであることを特徴とする遊技機。
【請求項４】
視覚的態様により遊技状態を認識させるための表示手段と、
聴覚的態様を導出する音声発生手段と
を備え、前記表示手段では、遊技中の所定期間において複数の演出表示体系の中から決定された１の演出表示体系に基づく視覚的態様を導出可能に構成された遊技機であって、
前記演出表示体系には、所定演出表示態様及びそれに引き続く特殊演出表示態様の組合せからなるものが含まれ、かつ、前記特殊演出表示態様は複数種類用意され、
前記音声発生手段は、前記所定演出態様が導出されている間に、複数の所定音声パターンに基づく聴覚的態様を順次導出可能となっており、前記特殊演出表示態様が導出されるときには、前記所定演出態様が導出されている最後の区間の所定音声パターンに関連する特殊音声パターンを導出するようになっていることを特徴とする遊技機。
【請求項５】
視覚的態様により遊技状態を認識させるための表示手段と、
聴覚的態様を導出可能な音声発生手段と
を備え、少なくとも前記表示手段において特定の表示態様となった場合に遊技者に有利な特別遊技状態を導出可能に構成されるとともに、前記特定の表示態様となる前段階にあっては、複数種類のリーチパターンの中から選択された１のリーチパターンに基づき前記表示手段においてリーチ遊技状態を導出可能に構成されてなる遊技機であって、
前記複数種類のリーチパターンには、所定のリーチパターン及びそれに引き続く発展型リーチパターンの組合せからなるものが含まれ、
前記音声発生手段は、前記所定のリーチパターンが導出されている間に、順次複数の音声パターンに基づく聴覚的態様を導出可能となっていることを特徴とする遊技機。
【請求項６】
視覚的態様により遊技状態を認識させるための表示手段と、聴覚的態様を導出可能な音声発生手段とを備え、少なくとも前記表示手段において特定の表示態様となった場合に遊技者に有利な特別遊技状態を導出可能に構成されるとともに、前記特定の表示態様となる前段階にあっては、複数種類のリーチパターンの中から選択された１のリーチパターンに基づき前記表示手段においてリーチ遊技状態を導出可能に構成されてなる遊技機であって、
前記複数種類のリーチパターンには、所定のリーチパターン及びそれに引き続く発展型リーチパターンの組合せからなるものが含まれ、前記発展型リーチパターンは複数種類用意されているとともに、
前記音声発生手段は、前記発展型リーチパターンが導出されているときには、当該発展型リーチパターンに対応する特有の特殊音声パターンを導出するとともに、前記所定のリーチパターンが導出されている間に、前記特殊音声パターンに関連する所定音声パターンを含む複数の所定音声パターンに基づく聴覚的態様を順次導出可能となっていることを特徴とする遊技機。
【請求項７】
視覚的態様により遊技状態を認識させるための表示手段と、
聴覚的態様を導出可能な音声発生手段と
を備え、少なくとも前記表示手段において特定の表示態様となった場合に遊技者に有利な特別遊技状態を導出可能に構成されるとともに、前記特定の表示態様となる前段階にあっては、複数種類のリーチパターンの中から選択された１のリーチパターンに基づき前記表示手段においてリーチ遊技状態を導出可能に構成されてなる遊技機であって、
前記複数種類のリーチパターンには、所定のリーチパターン及びそれに引き続く発展型リーチパターンの組合せからなるものが含まれ、前記発展型リーチパターンは複数種類用意されているとともに、前記音声発生手段は、前記発展型リーチパターンが導出されているときには、当該発展型リーチパターンに対応する特有の特殊音声パターンを導出するとともに、所定のリーチパターンが導出されている間に、複数の所定音声パターンに基づく聴覚的態様を順次導出可能となっており、当該所定のリーチパターンが導出されている最後の区間の所定音声パターンは、前記特殊音声パターンに関連する所定音声パターンであることを特徴とする遊技機。
【請求項８】
視覚的態様により遊技状態を認識させるための表示手段と、
聴覚的態様を導出可能な音声発生手段と
を備え、少なくとも前記表示手段において特定の表示態様となった場合に遊技者に有利な特別遊技状態を導出可能に構成されるとともに、前記特定の表示態様となる前段階にあっては、複数種類のリーチパターンの中から選択された１のリーチパターンに基づき前記表示手段においてリーチ遊技状態を導出可能に構成されてなる遊技機であって、
前記複数種類のリーチパターンには、所定のリーチパターン及びそれに引き続く発展型リーチパターンの組合せからなるものが含まれ、前記発展型リーチパターンは複数種類用意されているとともに、前記音声発生手段は、前記所定のリーチパターンが導出されている間に、複数の所定音声パターンに基づく聴覚的態様を順次導出可能となっており、前記発展型リーチパターンが導出されるときには、前記所定のリーチパターンが導出されている最後の区間の所定音声パターンに関連する特殊音声パターンを導出するようになっていることを特徴とする遊技機。